(57)【要約】      （修正有）【課題】無線電波の通信設定を簡単に変更することができ、設定変更の手間を大幅に軽減することが可能な中継装置を提供する。【解決手段】無線機２ａ〜２ｄの無線電波を中継する中継装置３であって、電波以外の無線信号を発信するリモコン４と、リモコン４からの無線信号を受信する受信部と、受信部で受信した無線信号に基づいて無線電波の通信設定を行うＭＣＵとを備える。また、リモコン４からの無線信号として赤外線信号を用いることができ、さらに、無線電波の通信設定に関する情報を表示する表示部をリモコン４に設けることができる。【選択図】図１
0003159053.tif 000002
【実用新案登録請求の範囲】
【請求項１】
無線機の無線電波を中継する中継装置であって、
電波以外の無線信号を発信するリモコンと、
該リモコンからの無線信号を受信する受信部と、
該受信部で受信した無線信号に基づいて前記無線電波の通信設定を行う設定制御部とを備えることを特徴とする無線機の中継装置。
【請求項２】
前記リモコンからの無線信号が赤外線信号であることを特徴とする請求項１に記載の無線機の中継装置。
【請求項３】
前記リモコンに前記無線電波の通信設定に関する情報を表示する表示部を設けたことを特徴とする請求項１又は２に記載の無線機の中継装置。
【考案の詳細な説明】
【技術分野】
【０００１】
本考案は、特定小電力トランシーバ等の無線機で用いられる中継装置に関し、特に、無線機同士の間に設置され、一方の無線機からの電波信号を他方の無線機に自動中継する装置に関する。
【背景技術】
【０００２】
従来、レジャーや業務等の用途で、特定小電力トランシーバ等の４２０ＭＨｚ帯の携帯無線機が広く利用されている。しかし、こうした無線機では、法定出力が１０ｍｗと小さいため、通信可能な距離が数百ｍ程度の短いものに制限される。
【０００３】
そこで、遠く離れた状態での通信を希望する場合には、無線機同士の間に中継装置（リピータ）を設置し、通信エリアを拡大することが行われている（例えば、特許文献１参照）。中継装置は、無線機からの電波を受信して他の無線機に自動送信するために備えられ、遮蔽物による電波障害を避けるなどの目的で、通常、高い場所に設置される。
【先行技術文献】
【特許文献】
【０００４】
【特許文献１】特許第３０４９４６１公報
【考案の概要】
【考案が解決しようとする課題】
【０００５】
しかし、上記従来の中継装置においては、設置後に通信設定を変更する必要が生じた場合（例えば、他の電波との干渉が生じ、通信周波数を変える必要が生じた場合など）に、極めて面倒な作業を強いられるという問題があった。
【０００６】
すなわち、中継装置の通信設定を変更するには、装置に付された設定ボタンを操作したり、或いは、装置本体を開封して内部装置の設定を操作する必要があるため、高い場所に設置された装置を外して地上に降ろし、変更作業の終了後、再度、設置場所まで装置を運び上げて取り付けなければならなくなる。特に、屋外用の中継装置の場合には、風雨による脱落や故障を防止すべく頑丈に設置することが一般的であり、そのため、取り外し作業自体に手間を要し、当然、取り付け作業にも相応の手間を要するという問題があった。
【０００７】
そこで、本考案は、上記従来の技術における問題点に鑑みてなされたものであって、無線電波の通信設定を簡単に変更することができ、設定変更の手間を大幅に軽減することが可能な中継装置を提供することを目的とする。
【課題を解決するための手段】
【０００８】
上記目的を達成するため、本考案は、無線機の無線電波を中継する中継装置であって、電波以外の無線信号を発信するリモコンと、該リモコンからの無線信号を受信する受信部と、該受信部で受信した無線信号に基づいて前記無線電波の通信設定を行う設定制御部とを備えることを特徴とする。
【０００９】
そして、本考案によれば、中継装置から離れた位置で通信設定を変更することができるため、設定変更の手間を大幅に軽減することが可能になる。また、リモコン操作のための無線信号として電波以外の信号を用いるため、無線電波による通話に悪影響が及ぶこともない。
【００１０】
前記無線機の中継装置において、前記リモコンからの無線信号を赤外線信号とすることができる。
【００１１】
前記無線機の中継装置において、前記リモコンに前記無線電波の通信設定に関する情報を表示する表示部を設けることができ、これにより、ユーザが通信設定の内容を手元で確認しながら設定作業を進めることが可能になる。
【考案の効果】
【００１２】
以上のように、本考案によれば、無線電波の通信設定を簡単に変更することができ、設定変更の手間を大幅に軽減することが可能になる。
【図面の簡単な説明】
【００１３】
【図１】本考案にかかる中継装置を適用した無線通信システムの一実施の形態を示す全体図である。
【図２】図１の中継装置の構成を示すブロック図である。
【図３】図１のリモコンを示す表面図である。
【図４】図３の表示部の表示内容を示す図である。
【考案を実施するための形態】
【００１４】
次に、本考案を実施するための形態について、図面を参照しながら詳細に説明する。
【００１５】
図１は、本考案にかかる中継装置を適用した無線通信システムの一実施の形態を示し、この無線通信システム１は、大別して、複数の無線機２ａ〜２ｄと、無線機２ａ〜２ｄ間の無線電波を自動中継する中継装置３と、中継装置３に付属するリモコン４とで構成される。
【００１６】
無線機２ａ〜２ｄは、特定小電力トランシーバ等の携帯無線機であり、各々、無線機２ａ〜２ｄ同士で直接通話する相互通話モードと、中継装置３を介して通話する中継通話モードとを実装する。相互通話モードでは、４２０ＭＨｚ帯の無線電波を用いた単信方式により通話を行い、一方、中継通話モードでは、４２０ＭＨｚ帯、４４０ＭＨｚ帯の無線電波を用いた半複信方式により通話を行う。
【００１７】
中継装置３は、無線機２ａ〜２ｄの通話エリアを拡大するために備えられ、ポール５等に取り付けられて高所に設置される。この中継装置３は、４２０ＭＨｚ帯、４４０ＭＨｚ帯の無線電波を用いた半複信方式により無線機２ａ〜２ｄ間の通話を中継するように構成され、例えば、中継時の通話チャンネルとして２７ｃｈ、通話グループとして３８グループが準備される。
【００１８】
中継装置３は、図２に示すように、無線電波を送受信するアンテナ１１と、アンテナ１１で受信した信号に増幅処理等を施す受信回路１２と、ＶＣＯ等によって構成され、受信回路１２に発振信号を出力する発振器１３と、受信回路１２で処理された信号に復調処理を施し、音声信号を取り出す復調処理部１４と、音声信号に変調処理を施す変調処理部１５と、変調処理が施された信号に増幅処理等を施す送信回路１６と、送信回路１６に発振信号を出力する発振器１７と、ＰＬＬ等によって構成され、発振器１３、１７の発振周波数を変更して通信周波数を切り替える周波数変換部１８と、中継装置３全体の動作を制御するＭＣＵ（マイコン）１９と、リモコン４（図１参照）からの赤外線信号を受信するＩＲ受信部２０と、通話チャンネル等を表示する表示部２１と、赤外線信号の受信状態や無線機２ａ〜２ｄ間の無線電波の中継状態に応じて点灯するＬＥＤ２２等を備える。
【００１９】
リモコン４は、中継装置３の通信設定を行うための赤外線リモコンであり、図３に示すように、赤外線信号を発信するＩＲ発信部３１と、ＵＰボタン３２ａ、ＤＯＷＮボタン３２ｂ、ＭＯＤＥボタン３２ｃ、ＥＮＴＥＲボタン３２ｄ及びＰＯＷＥＲボタン３２ｅからなる操作ボタン等を備える。また、リモコン４には、ＬＣＤ等によって構成される表示部３３が設けられ、この表示部３３には、図４に示すように、チャンネル番号３３ａ、グループ番号３３ｂ、キーロック表示３３ｃ及びデータ送信表示３３ｄ等が表示される。
【００２０】
図１に示す無線通信システム１において、中継装置３の通信設定を行ったり、変更する場合には、リモコン４の操作ボタン３２ａ〜３２ｅ（図３参照）を操作し、リモコン４から中継装置３に赤外線信号を送信する。尚、操作ボタン３２ａ〜３２ｅによって変更できる内容は、表１に示す通りである。
【００２１】
【表１】
0003159053.tif 000003
【００２２】
このとき、リモコン４の表示部３３には、操作ボタン３２ａ〜３２ｅの操作に応じた表示がなされ、また、リモコン４からの赤外線信号が中継装置３へ到達するのに応じて、中継装置３のＬＥＤ２２（図２参照）が点灯する。これにより、ユーザは、通信設定の内容を手元で確認しながら設定作業を進めることができるとともに、操作した内容が中継装置３に伝達されたかを随時確認することができる。
【００２３】
そして、中継装置３のＭＣＵ１９（図２参照）では、ＩＲ受信部２０で受信した赤外線信号に含まれる制御コマンドに応じて周波数変換部１８の動作を制御し、中継時の通話チャンネルや通話グループ等を設定する。
【００２４】
以上のように、本実施の形態によれば、中継装置３から離れた位置で通信設定を変更することができるため、設定変更に際して、中継装置３の取り外し作業や付け直し作業を強いられることがない。このため、無線電波の通信設定を簡単に変更することができ、設定変更の手間を大幅に軽減することが可能になる。
【００２５】
また、リモコン操作のための無線信号として赤外線を用いるため、無線機２ａ〜２ｄが発する無線電波との混信を招くことがなく、通話に悪影響が及ぶのを回避することができる。尚、リモコン操作用の無線信号は、赤外線に限られるものでなく、電波以外の無線信号であれば、他の信号を用いることもできる。
【符号の説明】
【００２６】
１  無線通信システム
２ａ〜２ｄ  無線機
３  中継装置
４  リモコン
５  ポール
１１  アンテナ
１２  受信回路
１３  発振器
１４  復調処理部
１５  変調処理部
１６  送信回路
１７  発振器
１８  周波数変換部
１９  ＭＣＵ
２０  ＩＲ受信部
２１  表示部
２２  ＬＥＤ
３１  ＩＲ発信部
３２ａ〜３２ｅ  操作ボタン
３３  表示部
３３ａ  チャンネル番号
３３ｂ  グループ番号
３３ｃ  キーロック表示
３３ｄ  データ送信表示
【図１】
0003159053.tif 000004
【図２】
0003159053.tif 000005
【図３】
0003159053.tif 000006
【図４】
0003159053.tif 000007